(57)【特許請求の範囲】
【請求項１】
ライセンス支援アクセス(LAA)進化型ノードB(eNB)であって、
アンライセンスバンドにおいて動作するLAAユーザ機器(UE)と通信するように構成される送受信器と、
処理回路と、を備え、
前記処理回路は、
前記UEが通信することができるワイヤレスローカルエリアネットワーク(WLAN)に関するWLAN情報について前記UEに要求を送信するように前記送受信器を構成し、前記要求は、前記アンライセンスバンドにおける少なくとも1つのチャネルを含む前記アンライセンスバンドに関する情報と前記WLAN情報が要求される時間ウィンドウとを含み、
前記UEから前記WLAN情報を含むレポートを受信するように前記送受信器を構成し、
前記WLAN情報に基づいて、当該eNBによる前記アンライセンスバンドの使用に関わるネットワーク動作を設定し、前記ネットワーク動作は、複数の候補チャネルの間での当該eNBによるチャネル選択を含む、
ように構成される、
eNB。
【請求項２】
前記処理回路は、さらに、UEによる前記アンライセンスバンドの使用に関わるネットワーク動作を設定することにおいて前記WLAN情報を使用するネットワークエンティティに対して前記WLAN情報を提出するように前記送受信器を構成するように構成される、前記ネットワーク動作は、複数の候補チャネルの間での当該eNBによるチャネル選択を含む、請求項１に記載のeNB。
【請求項３】
前記WLAN情報は、
測定なしに前記UEにより取得可能な情報と、
前記UEによって又は前記UEに代わって実行可能な測定からの情報と、
のうち少なくとも1つを含む、請求項１に記載のeNB。
【請求項４】
前記アンライセンスバンドは、ロングタームエボリューション(LTE)のためのアンライセンスバンドであり、前記ネットワーク動作を設定することにおいて、前記処理回路は、さらに、
複数の候補チャネルの中から、前記ワイヤレスローカルエリアネットワーク(WLAN)によりあまり使われていない前記LTEのための前記アンライセンスバンドの中のチャネルを選択するように構成され、前記WLAN情報は、前記候補チャネルの各々について、基本サービスセット(BSS)ロード、BSS平均アクセス遅延、クリアチャネルアセスメント(CCA)レポート、又はチャネルロードレポートのうち少なくとも1つを含み、
前記の選択されたチャネルを用いて前記UEと通信するように前記送受信器を構成する、
ようにさらに構成される、請求項１に記載のeNB。
【請求項５】
前記アンライセンスバンドは、ロングタームエボリューション(LTE)のためのアンライセンスバンドであり、前記ネットワーク動作を設定することにおいて、前記処理回路は、さらに、
前記WLAN情報から、前記LTEのための前記アンライセンスバンドの中の複数のチャネルの各々について、WLAN干渉を決定し、
前記複数のチャネルの中から、より少ない量のWLAN干渉を含むチャネルを選択し、
前記の選択されたチャネルで動作するeNBに新しいUEを割り当てる、
ように構成される、請求項１に記載のeNB。
【請求項６】
前記アンライセンスバンドは、ロングタームエボリューション(LTE)のためのアンライセンスバンドであり、
前記処理回路は、さらに、前記WLAN情報に基づいてUEグルーピング又はローカライゼーションを決定してLTE  UEのグループセンシング及びスケジューリングを可能にするように構成され、前記決定は、基本サービスセット識別(BSSID)の高度に相関したセットを示す複数のUEからのレポートに基づく、
請求項１に記載のeNB。
【請求項７】
前記処理回路は、さらに、前記決定に基づいて、
前記複数のUEのうちの1つのUEに対して、前記複数のUEのうちの別のUEの代わりにチャネルセンシングを実行するように、アンライセンスバンド干渉を被る同じグループの中の又は近接した前記複数のUEのうちの前記別のUEの代理として前記複数のUEのうちの前記1つのUEを指名するメッセージを送信するように、前記送受信器を構成する、
ように構成される、請求項６に記載のeNB。
【請求項８】
前記処理回路は、さらに、
前記要求の中で前記UEに対して、前記チャネルを通じて動作するアクセスポイント(AP)に関する前記情報を送信するように、前記送受信器を構成するように構成され、前記アクセスポイント(AP)に関する前記情報は、
チャネルインデックスを含む前記APのビーコンスケジュールと、
大まかなビーコン開始時間と、
前記APの基本サービスセット識別(BSSID)と、のうち少なくとも1つをさらに含む、請求項１に記載のeNB。
【請求項９】
前記要求は、
前記要求に応答して前記レポートを送るように前記UEに指示するか、又は、
所定のトリガ条件が満たされるということ及びレポートが当該eNBに送られるべき継続時間とに応答して、前記レポートを送るように前記UEに指示するか、のうちの少なくとも一方のための要求であり、前記所定のトリガ条件は、前記UEがビーコンを捕らえることができる基本サービスセット識別子(BSSID)又は広告されたBSSロードレベルを含む近隣のWLAN情報の変化を含む、請求項１に記載のeNB。
【請求項１０】
前記WLAN情報は、
基本サービスセット識別子(BSSID)、
WLAN管理フレームボディ内の情報、及び
WLAN測定レポートについて定義された情報、
のうち少なくとも1つを含む、請求項１に記載のeNB。
【請求項１１】
前記送受信器と前記UEとの間の通信を送信するように構成されたアンテナ、
をさらに含む請求項１に記載のeNB。
【請求項１２】
ライセンス支援アクセス(LAA)ユーザ機器(UE)であって、
アンライセンスバンドを用いてLAA進化型ノードB(eNB)と通信するように構成されたる送受信器と、
処理回路と、を備え、
前記処理回路は、
当該UEが通信することができる近隣のワイヤレスローカルエリアネットワーク(WLAN)に関するWLAN情報について前記eNBから要求を受信するように前記送受信器を構成し、前記要求は、前記WLAN情報が取得される仕方を指定し、前記要求は、前記アンライセンスバンドにおける少なくとも1つのチャネルを含む前記アンライセンスバンドに関する情報と前記WLAN情報が要求される時間ウィンドウとを含み、
前記の指定された仕方を用いて前記アンライセンスバンドのチャネルにおけるアクセスポイント(AP)との通信によって前記WLAN情報を取得するように前記送受信器を構成し、
前記WLAN情報を含むレポートを前記eNBに送信するように前記送受信器を構成する、
ように構成される、
UE。
【請求項１３】
複数のAPと通信するように構成されたWiFiモジュール、
をさらに含み、前記処理回路は、さらに、
当該UEが指定されたチャネル上でビーコンを受信することができるAPのリストを決定し、
前記指定されたチャネルに合わせて前記APのビーコンを用いて前記APの基本サービスセット識別(BSSID)を順次収集するように前記送受信器を構成し、
前記レポート内で前記APのBSSIDを前記eNBに送信するように前記送受信器を構成する
ように構成される、請求項１２に記載のUE。
【請求項１４】
当該UEは、前記eNBからの前記要求の中で指定された前記WLAN情報を含む管理フレームタイプを識別する、請求項１２に記載のUE。
【請求項１５】
前記要求は、前記WLAN情報が要求される時間ウィンドウを指定し、
前記処理回路は、さらに、
前記の指定された時間ウィンドウにわたり、フレームのフィールド内の前記WLAN情報を抽出するように構成される、請求項１２に記載のUE。
【請求項１６】
前記処理回路は、さらに、
プローブ要求、関連付け要求、又は再関連付け要求のうち1つを前記アクセスポイント(AP)に送り、そして、プローブ応答、関連付け応答、又は再関連付け応答メッセージのうち1つをそれぞれ受信することによって、前記WLAN情報を取得するように前記送受信器を構成する、ように構成される、請求項１２に記載のUE。
【請求項１７】
前記処理回路は、さらに、
前記チャネルの上で無線測定を実行するように前記送受信器を構成するように構成される、請求項１２に記載のUE。
【請求項１８】
前記処理回路は、さらに、
当該UEの代わりに測定を実行し、結果的な測定情報を当該UEに送信するように、同じ基本サービスセット(BSS)の中の局に対して要求を送信するように前記送受信器を構成するように構成される、請求項１２に記載のUE。
【請求項１９】
ライセンス支援アクセス(LAA)進化型ノードB(eNB)の1つ以上のプロセッサに、前記eNBを構成させるコンピュータプログラムであって、前記eNBは、送受信器によって、アンライセンスバンドにおいて動作するLAAユーザ機器(UE)と通信し、前記1つ以上のプロセッサは、
前記UEが通信することができる近隣のワイヤレスローカルエリアネットワーク(WLAN)に関するWLAN情報について前記UEに要求を送信し、前記WLAN情報は、WLAN管理フレームの中の、又は、前記アンライセンスバンドの中のチャネルで動作するアクセスポイント(AP)に前記UEが送った要求メッセージに応答して送られる応答メッセージからの、利用可能な情報を含み、前記要求は、前記アンライセンスバンドにおける少なくとも1つのチャネルを含む前記アンライセンスバンドに関する情報と前記WLAN情報が要求される時間ウィンドウとを含み、
前記UEから前記WLAN情報を含むレポートを受信するように前記送受信器を構成し、
UEによる前記アンライセンスバンドの使用に関わるネットワーク動作における使用のために前記WLAN情報をネットワークエンティティに提出するように前記送受信器を構成する、ように前記eNBを構成し、前記ネットワーク動作は、複数の候補チャネルの間での当該eNBによるチャネル選択を含む、
コンピュータプログラム。
【請求項２０】
前記WLAN情報は、前記UEによって又は代わって実行可能な測定情報をさらに含む、請求項１９に記載のコンピュータプログラム。
【請求項２１】
前記アンライセンスバンドは、ロングタームエボリューション(LTE)のためのアンライセンスバンドであり、
前記1つ以上のプロセッサは、さらに、前記WLAN情報に基づいて、
複数の候補チャネルの中から、前記ワイヤレスローカルエリアネットワーク(WLAN)によりあまり使われていないか又はより少ない量のWLAN干渉を有する前記LTEのためのアンライセンスバンドの中のチャネルを選択し、
前記の選択されたチャネルを通じて動作するeNBに新しいUEを割り当てる、
ように構成される、請求項１９に記載のコンピュータプログラム。
【請求項２２】
前記送受信器から前記UEに送信される前記要求は、前記アクセスポイント(AP)に関する前記情報を含み、前記APに関する前記情報は、
チャネルインデックスを含む前記APのビーコンスケジュール、
大まかなビーコン開始時間、及び
前記APの基本サービスセット識別(BSSID)のうち少なくとも1つを含む前記APに関する情報を含む、請求項１９に記載のコンピュータプログラム。
【請求項２３】
前記要求は、
前記要求に応答して前記レポートを送るように前記UEに指示するか、又は、
所定のトリガ条件が満たされるということとレポートが前記eNBに送られるべき継続時間とに応答して、前記レポートを送るように前記UEに指示するか、のうちの少なくとも一方のための要求であり、前記所定のトリガ条件は、前記UEがビーコンを捕らえることができる基本サービスセット識別子(BSSID)又は広告されたBSSロードレベルを含む近隣のWLAN情報の変化を含む、請求項１９に記載のコンピュータプログラム。
【請求項２４】
ライセンス支援アクセス(LAA)進化型ノードB(eNB)においてアンライセンスバンドの中のLAAユーザ機器(UE)からの近隣のワイヤレスローカルエリアネットワーク(WLAN)情報を取り出す方法であって、
前記eNBから前記UEに前記WLAN情報の要求を送信するステップであって、前記要求は、前記アンライセンスバンドの中のチャネルと、前記WLAN情報が取得されるべき時間ウィンドウと、を指定する、ステップと、
前記eNBにおいて前記UEから前記WLAN情報を受信するステップであって、前記WLAN情報は、測定が採用されない前記アンライセンスバンドの動作情報を含む、ステップと、
UEによる前記アンライセンスバンドの使用に関わるネットワーク動作を、
前記eNBにおいて前記WLAN情報を処理して前記ネットワーク動作を設定するか、又は、
前記ネットワーク動作をネットワークエンティティが設定するように、前記WLAN情報を前記ネットワークエンティティに提出するか、
のうち少なくとも1つによって設定するステップであって、前記ネットワーク動作は、複数の候補チャネルの間での前記eNBによるチャネル選択を含む、ステップと、を含む、
方法。
【請求項２５】
前記WLAN情報は、前記UEによって又は代わって取得される測定情報をさらに含む、請求項２４に記載の方法。
【請求項２６】
前記要求は、ライセンス又はアンライセンスチャネルを通じて、L1/L2物理ダウンリンク制御チャネル(PDCCH)、媒体アクセス制御制御要素(MAC−CE)、又は無線リソース制御(RRC)シグナリングのうち1つを介して前記UEに送信され、
前記要求は、WiFi測定フレームを介して前記UEに送信される、
請求項２４に記載の方法。
【請求項２７】
前記要求は、
WLAN媒体アクセス制御(MAC)フレームからのWLAN基本サービスセット識別子(BSSID)、
近隣のWLANアクセスポイント(AP)への要求に対する応答からのWLAN管理フレームボディの中の情報、又は、
WLAN測定レポートについて定義された情報、のうち少なくとも1つを獲得するように前記UEに指示し、前記WLAN測定レポートについて定義された前記情報は、
前記UEが測定を実行するか、又は、
前記UEが該UEのために測定を実行するようにWLAN局に要求するか、
のうち1つによって取得される、請求項２４に記載の方法。
【請求項２８】
前記要求は、
前記要求に応答して受動的に前記WLAN情報を含むレポートを生成するか、
前記eNBからの要求がないとしても所定条件が満たされたときに前記WLAN情報を含むレポートの生成をトリガするか、
L1/L2(PDCCH)、MAC  CE、RRCシグナリング、又は別のより高いレイヤのシグナリングによって前記eNBに前記WLAN情報を含むレポートを送信するか、又は、
WiFi測定フレームによって前記eNBに前記WLAN情報を含むレポートを送信するか、
のうち少なくとも1つを実行するように前記UEに指示する、請求項２４に記載の方法。
【請求項２９】
前記eNBは、さらに、前記の受信したWLAN情報に基づいて、
チャネル選択、
UEグルーピング又はローカライゼーション、
同様のチャネル条件を経験する同じグループの中の又は近接した他のUEの代わりにチャネルセンシングを実行するように代理UEを指名すること、又は、
さらなるチャネルセンシングなしに同じグループの中の又は近接したUEのセットをスケジュールすることと、
のうち少なくとも1つを実行するように構成される、請求項２５に記載の方法。
【請求項３０】
請求項１９乃至２３のうちいずれか１項に記載のコンピュータプログラムを記憶したコンピュータ読取可能記憶媒体。
【発明の詳細な説明】
【技術分野】
【０００１】
優先権主張
本出願は、2015年3月27日に申請された米国特許出願第14/670,769号に対する優先の利益を主張し、上記米国特許出願は、2014年7月21日に申請された米国仮特許出願第62/027,141号及び2014年6月2日に申請された米国仮特許出願第62/006,743号に対する優先の利益を主張し、これらの各々は、本明細書においてその全体を参照により援用される。
【０００２】
実施形態は、無線アクセスネットワークに属する。いくつかの実施形態は、アンライセンススペクトルにおける使用法を決定することに関する。
【背景技術】
【０００３】
ロングタームエボリューション（ＬＴＥ）ネットワークは複数の特定周波数バンド内で動作し、幅広い種類の情報を、増え続ける数及びタイプのユーザ機器（ＵＥ）に届ける。典型的に、異なる通信手法の使用は、連邦政府により統制される免許されたバンド（ライセンスバンド）（licensed  bands）に制限される。ネットワーク使用の普及は、こうしたライセンスバンドを越えてＬＴＥ使用を拡大することへの興味をかき立てている。ＬＴＥアンライセンスト（LTE-Unlicensed）（ＬＴＥ−Ｕ）は、ライセンス支援アクセス（License  Assisted  Access）（ＬＡＡ）通信装置、例えばＵＥ及び発展型ノードＢ（evolved  node  Bs）（ｅＮＢ）などが、通信において免許不要のスペクトル（アンライセンススペクトル）（unlicensed  spectrum）を使用することを可能にする。ＬＴＥシステムだけが、ＬＴＥバンド内で合法的に動作することができると同時に、他のシステム、例えばワイヤレスローカルエリアネットワーク（ＷＬＡＮ）システムなどが、アンライセンススペクトル内でＬＴＥ−Ｕシステムと共存する。詳細には、ＩＥＥＥ８０２．１１ａ／ｎ／ａｃテクノロジーを使用するＷＬＡＮシステムが、個人及びオペレータの双方による様々な目的での５ＧＨｚアンライセンスナショナル情報インフラストラクチャ（Unlicensed  National  Information  Infrastructure）（Ｕ−ＮＩＩ）バンドの幅広い使用を享受している。
【０００４】
典型的に、アンライセンスバンドユーザは、スペクトル全体を占有するというよりも１つのチャネル（サブバンド）上で動作し、複数のユーザが異なるチャネルを使用することによって共存することを可能にする。アンライセンスバンド内での通信の共存に起因して、アンライセンスバンド内でのスペクトル使用法を決定してアンライセンスバンド内におけるＬＡＡ通信をより良く提供することが望ましいことになる。
【図面の簡単な説明】
【０００５】
図面は必ずしも縮尺どおりに描かれておらず、図面において、同様の番号が種々のビュー内で類似のコンポーネントを説明することがある。異なる文字添え字を有する同様の番号が、類似のコンポーネントについての異なるインスタンスを表すことがある。図面は、一般に、限定としてではなく例として、本文献内で論じられる様々な実施形態を例示する。
【図１】いくつかの実施形態に従う、ＬＴＥネットワークのエンドツーエンドネットワークアーキテクチャの部分の例を、ネットワークの様々なコンポーネントと共に示す。
【図２】いくつかの実施形態に従う、通信装置の機能ブロック図を例示する。
【図３】いくつかの実施形態に従う、ＷＬＡＮ情報を取得し及び使用する方法のメッセージフローを例示する。
【図４】いくつかの実施形態に従う、ＷＬＡＮ情報を取得し及び使用する方法のフローチャートを例示する。
【発明を実施するための形態】
【０００６】
下記の説明及び図面は、特定の実施形態を十分に例示して、当業者がこれらを実施することを可能にする。他の実施形態が、構造的、論理的、電気的、処理、及び他の変更を包含し得る。いくつかの実施形態の部分及び特徴が、他の実施形態の部分及び特徴に含まれ、あるいは他の実施形態の部分及び特徴の代替にされることがある。請求項に明記される実施形態は、請求項についてのすべての利用可能な均等物を包含する。
【０００７】
図１は、いくつかの実施形態に従う、ロングタームエボリューション（ＬＴＥ）ネットワークのエンドツーエンドネットワークアーキテクチャの部分の例を、ネットワークの様々なコンポーネントと共に示している。ネットワーク１００は、無線アクセスネットワーク（ＲＡＮ）（例えば、図示されるとおり、Ｅ−ＵＴＲＡＮ又は発展型ユニバーサル地上波無線アクセスネットワーク（evolved  universal  terrestrial  radio  access  network））１０１と、Ｓ１インターフェース１１５を通して一緒に結合されるコアネットワーク１２０（例えば、発展型パケットコア（evolved  packet  core）（ＥＰＣ）として図示されている）とを含み得る。簡便さ及び簡潔さのため、上記例において、コアネットワーク１２０とＲＡＮ１０１とのうち一部だけが図示されている。
【０００８】
コアネットワーク１２０は、モビリティマネジメントエンティティ（mobility  management  entity）（ＭＭＥ）１２２、サービングゲートウェイ（サービングＧＷ）１２４、及びパケットデータネットワークゲートウェイ（ＰＤＮ  ＧＷ）１２６を含み得る。ＲＡＮには、ユーザ機器（ＵＥ）１０２と通信する進化型ノードＢ（enhanced  node  Bs）（ｅＮＢ）１０４（これは、基地局として動作することができる）が含まれる。ｅＮＢ１０４は、マクロｅＮＢ及び低パワー（low  power）（ＬＰ）ｅＮＢを含み得る。
【０００９】
ＭＭＥ１２２は、機能において、レガシーのサービングＧＰＲＳサポートノード（ＳＧＳＮ）の制御プレーンと同様であり得る。ＭＭＥは、アクセスにおけるモビリティ態様、例えば、ゲートウェイ選択及びトラッキングエリアリスト管理などを管理することができる。サービングＧＷ１２４は、ＲＡＮ１０１に向けてインターフェースを終端させ（terminate）、ＲＡＮ１０１とコアネットワーク１２０との間のパケットをルーティングする（route）ことができる。さらに、サービングゲートウェイ１２４は、インターｅＮＢ（inter-eNB）ハンドオーバのためのローカルモビリティアンカーポイント（anchor  point）であってもよく、さらに、インター３ＧＰＰ（inter-3GPP）モビリティのためのアンカーを提供してもよい。他の責務には、適法の傍受、課金、及びいくつかのポリシー強制が含まれ得る。サービングＧＷ１２４及びＭＭＥ１２２は、１つの物理ノード又は別個の物理ノードにおいて実装されてよい。ＰＤＮ  ＧＷ１２６は、パケットデータネットワーク（ＰＤＮ）に向けてＳＧｉインターフェースを終端させることができる。ＰＤＮ  ＧＷ１２６は、ＥＰＣ１２０と外部ＰＤＮとの間のデータパケットをルーティングすることができ、ポリシー強制及び課金データ収集のためのキーノードであり得る。ＰＤＮ  ＧＷ１２６は、非ＬＴＥアクセスでのモビリティのためのアンカーポイントをさらに提供してもよい。外部ＰＤＮは、任意の種類のＩＰネットワーク、及びＩＰマルチメディアサブシステム（ＩＭＳ）ドメインであり得る。ＰＤＮ  ＧＷ１２６及びサービングＧＷ１２４は、１つの物理ノード又は別個の物理ノードにおいて実装されてよい。
【００１０】
ｅＮＢ１０４（マクロ及びマイクロ）は、エアインターフェースプロトコルを終端させることができ、ＵＥ１０２のためのコンタクトの第１のポイントであり得る。いくつかの実施形態において、ｅＮＢ１０４は、ＲＮＡ１０１のための様々な論理機能を遂行することができ、これらに限られないが、ＲＮＣ（無線ネットワークコントローラ機能）、例えば、無線ベアラ管理、アップリンク及びダウンリンク動的無線リソース管理及びデータパケットスケジューリング、並びにモビリティマネジメントなどが含まれる。実施形態に従い、ＵＥ１０２は、ＯＦＤＭＡ通信手法に従ってマルチキャリア通信チャネルを通じて、ＯＦＤＭ通信信号をｅＮＢ１０４と通信するように構成されることができる。ＯＦＤＭ信号は、複数の直交サブキャリア（subcarriers）を含み得る。
【００１１】
Ｓ１インターフェース１１５は、ＲＡＮ１０１とＥＰＣ１２０とを分離するインターフェースである。Ｓ１インターフェース１１５は、２つの部分、すなわち、Ｓ１−ＵとＳ１−ＭＭＥとに分けられることができる。Ｓ１−Ｕは、ｅＮＢ１０４とサービングＧＷ１２４との間のトラフィックデータを運び、Ｓ１−ＭＭＥは、ｅＮＢ１０４とＭＭＥ１２２との間のシグナリングインターフェースである。Ｘ２インターフェースは、ｅＮＢ１０４間のインターフェースである。Ｘ２インターフェースは、２つの部分、Ｘ２−Ｃ及びＸ２−Ｕを含み得る。Ｘ２−Ｃは、ｅＮＢ１０４間の制御プレーンインターフェースであってもよく、Ｘ２−Ｕは、ｅＮＢ１０４間のユーザプレーンインターフェースであってもよい。
【００１２】
セルラーネットワークでは、ＬＰセルが使用されて、屋外信号がうまく到達しない屋内エリアにカバレッジを拡張し、あるいは、非常に高密度の電話使用を有するエリア、例えば列車の駅などにおいて、ネットワーク容量を追加することができる。本明細書において使用されるとき、用語の低パワー（ＬＰ）ｅＮＢは、より狭い（マクロセルより狭い）セル、例えば、フェムトセル、ピコセル、又はマイクロセルなどを実装するための、任意の適切な比較的低パワーのｅＮＢを参照し得る。フェムトセルｅＮＢは、典型的に、モバイルネットワークオペレータによって、その住宅（residential）又はエンタープライズ（enterprise）顧客に提供されることができる。フェムトセルは、典型的に、住宅ゲートウェイのサイズか又はより小さく、一般に、ユーザのブロードバンド回線に接続することができる。いったんプラグ接続される（plugged  in）と、フェムトセルは、モバイルオペレータのモバイルネットワークに接続し、住宅フェムトセルのために典型的に３０乃至５０メートルの範囲において割増の（extra）カバレッジを提供することができる。ゆえに、ＬＰ  ｅＮＢがフェムトセルｅＮＢであってもよく、なぜならば、ＬＰ  ｅＮＢがＰＤＮ  ＧＷ１２６を通して結合されるからである。同様に、ピコセルは、小さいエリア、例えば、ビル内（オフィス、ショッピングモール、列車の駅等）又はより最近では飛行機内を典型的にカバーするワイヤレス通信システムであり得る。ピコセルｅＮＢは、一般に、Ｘ２リンクを通して別のｅＮＢ例えばマクロｅＮＢに、その基地局コントローラ（ＢＳＣ）機能性を通して接続することができる。ゆえに、ＬＰ  ｅＮＢはピコセルｅＮＢを用いて実装されてもよく、なぜならば、ＬＰ  ｅＮＢがＸ２インターフェースを介してマクロｅＮＢに結合されるからである。ピコセルｅＮＢ又は他のＬＰ  ｅＮＢは、マクロｅＮＢのいくつか又はすべての機能性を包含してもよい。いくつかの場合、このことは、アクセスポイント基地局又はエンタープライズフェムトセルとして参照され得る。
【００１３】
ＬＴＥネットワークを通じた通信は１０ｍｓフレームに分けられることができ、フレームの各々は１０個の１ｍｓサブフレームを含む。同様に、各サブフレームが２つの０．５ｍｓスロットを含み得る。各スロットは、使用されるシステムに依存して、６〜７シンボルを含み得る。リソースブロック（ＲＢ）（さらに、物理リソースブロック（ＰＲＢ）とも呼ばれる）が、ＵＥに割り振られることができるリソースの最小ユニットであり得る。リソースブロックは、周波数において１８０ＫＨｚ幅及び時間において１スロット長であり得る。周波数において、リソースブロックは、１２×１５ｋＨｚサブキャリア又は２４×７．５ｋＨｚサブキャリア幅のいずれかであり得る。大抵のチャネル及び信号について、リソースブロックごとに１２個のサブキャリアが使用されることができる。周波数分割複信（Frequency  Division  Duplexed）（ＦＤＤ）モードにおいて、アップリンクフレーム及びダウンリンクフレームの双方が１０ｍｓであってもよく、周波数（全二重）又は時間（半二重）により分離されることができる。時分割複信（Time  Division  Duplexed）（ＴＤＤ）において、アップリンクサブフレーム及びダウンリンクサブフレームは同じ周波数上で送信されることができ、時間ドメインにおいて多重化されることができる。ダウンリンクリソースグリッドが、ｅＮＢからＵＥへのダウンリンク送信に使用されることができる。グリッドは時間周波数グリッドであってもよく、これは各スロットにおけるダウンリンクにおける物理リソースである。リソースグリッドの各列及び各行が、それぞれ、１つのＯＦＤＭシンボル及び１つのＯＦＤＭサブキャリアに対応し得る。時間ドメイン内のリソースグリッドの継続時間が、１スロットに対応し得る。リソースグリッド内の最小の時間周波数ユニットが、リソース要素（resource  element）として表されることができる。各リソースグリッドが、複数の上記リソースブロックを含むことができ、こうしたリソースブロックは、ある物理チャネルのリソース要素へのマッピングを説明する。各リソースブロックは、１２（サブキャリア）＊１４（シンボル）＝１６８リソース要素を含み得る。
【００１４】
上記リソースブロックを使用して伝達される、いくつかの異なる物理ダウンリンクチャネルが存在し得る。これら物理ダウンリンクチャネルのうち２つが、物理ダウンリンク制御チャネル（physical  down  link  control  channel）（ＰＤＣＣＨ）及び物理ダウンリンク共有チャネル（physical  downlink  shared  channel）（ＰＤＳＣＨ）であり得る。各サブフレームは、ＰＤＣＣＨ及びＰＤＳＣＨへと区分されることができる。ＰＤＣＣＨは、通常、各サブフレームのうち最初の２シンボルを占有し、とりわけ、ＰＤＳＣＨチャネルに関連したトランスポートフォーマット及びリソース割り振りに関する情報と、アップリンク共有チャネルに関連したＨ−ＡＲＱ情報とを運び得る。ＰＤＳＣＨは、ユーザデータ及びより高いレイヤのシグナリングをＵＥに運び、サブフレームのうち残りを占有し得る。典型的に、ダウンリンクスケジューリング（セル内のＵＥに制御及び共有チャネルリソースブロックを割り当てること）が、ｅＮＢにおいて、ＵＥからｅＮＢに提供されるチャネル品質情報に基づいて実行されることができ、それから、ダウンリンクリソース割り当て情報が、各ＵＥに対して、ＵＥに使用される（に割り当てられた）ＰＤＣＣＨ上で送られることができる。ＰＤＣＣＨは、同じサブフレーム内のＰＤＳＣＨ上で送信されたデータをリソースグリッドから見つけ及びデコードする方法をＵＥに教える複数のフォーマットのうち１つにおいて、ダウンリンク制御情報（ＤＣＩ）を含むことができる。ＤＣＩフォーマットは、リソースブロックの数、リソース割り振りタイプ、変調スキーム、トランスポートブロック、冗長バージョン、コーディングレート等などの詳細を提供することができる。各ＤＣＩフォーマットは、巡回冗長コード（cyclic  redundancy  code）（ＣＲＣ）を有することができ、ＰＤＳＣＨが対象とするターゲットＵＥを識別する無線ネットワーク一時識別子（Radio  Network  Temporary  Identifier）（ＲＮＴＩ）で、スクランブルをかけられる（scrambled）ことができる。ＵＥ固有ＲＮＴＩの使用は、ＤＣＩフォーマット（及び、ゆえに、対応するＰＤＳＣＨ）のデコーディングを、意図されたＵＥのみに制限することができる。
【００１５】
図２は、いくつかの実施形態に従う、通信装置（例えば、ＵＥ又はｅＮＢ）の機能ブロック図を例示している。通信装置２００は、物理レイヤ（ＰＨＹ）回路２０２を含んでもよく、ＰＨＹ回路２０２は、該ＰＨＹ回路に電気的に接続された１つ以上のアンテナ２０１を用いて、上記通信装置、他のｅＮＢ、他のＵＥ、又は他の装置への及びこれらからの無線周波数電気信号を送信し及び受信する。ＰＨＹ回路２０２は、変調／復調、アップコンバージョン／ダウンコンバージョン、フィルタリング、増幅等のための回路を含んでもよい。通信装置２００は、媒体アクセス制御レイヤ（ＭＡＣ）回路２０４をさらに含んでもよく、ＭＡＣ回路２０４は、ワイヤレス媒体へのアクセスを制御し、ワイヤレス媒体を通じて通信するためのフレーム又はパケットを構成する。通信装置２００は、処理回路２０６及びメモリ２０８をさらに含んでもよく、処理回路２０６及びメモリ２０８は、本明細書に説明される動作を実行するようにセルラー装置の様々な要素を構成するように配置される。メモリ２０８を使用して、動作を実行するように処理回路２０６を構成するための情報を記憶してもよい。
【００１６】
いくつかの実施形態において、通信装置２００は、ポータブルワイヤレス通信装置、例えば、パーソナルデジタルアシスタント（ＰＤＡ）、ワイヤレス通信能力を有するラップトップ若しくはポータブルコンピュータ、ウェブタブレット、ワイヤレス電話、スマートフォン、ワイヤレスヘッドセット、ページャ、インスタントメッセージング装置、デジタルカメラ、アクセスポイント、テレビジョン、医療装置（例えば、心拍モニタ、血圧モニタ等）、センサ、又は、情報をワイヤレスに受信し及び／又は送信することができる他の装置などの、一部であり得る。いくつかの実施形態において、通信装置２００は、キーボード、ディスプレイ、不揮発メモリポート、複数のアンテナ、グラフィックスプロセッサ、アプリケーションプロセッサ、スピーカー、及び他のモバイル装置要素のうち１つ以上を含んでもよい。ディスプレイは、タッチスクリーンを含むＬＣＤ画面であってもよい。
【００１７】
通信装置２００によって利用される１つ以上のアンテナ２０１は、１つ以上の指向性又は全方向性アンテナを含んでもよく、例えば、ダイポールアンテナ、モノポールアンテナ、パッチアンテナ、ループアンテナ、マイクロストリップアンテナ、又は、ＲＦ信号の送信に適した他タイプのアンテナが含まれる。いくつかの実施形態において、２つ以上のアンテナに代わって、複数の開口を有する単一のアンテナが使用されてもよい。こうした実施形態において、各開口は、別個のアンテナと考えられることができる。いくつかの複数入力複数出力（multiple-input  multiple-output）（ＭＩＭＯ）実施形態において、アンテナは、受信局のアンテナの各々と送信局のアンテナの各々との間で生じ得る空間ダイバーシティ及び異なるチャネル特性の平均をとるように効率的に分離されてもよい。いくつかのＭＩＭＯ実施形態において、アンテナは、最大で一波長の１／１０又はそれ以上によって分離されてもよい。
【００１８】
通信装置２００はいくつかの別個の機能要素として例示されているが、機能要素のうち１つ以上が組み合わせられてもよく、ソフトウェアにより構成された要素、例えばデジタルシグナルプロセッサ（ＤＳＰ）を含む処理要素など、及び／又は他のハードウェア要素の、組み合わせによって実装されてもよい。例えば、いくつかの要素が、１つ以上のマイクロプロセッサ、ＤＳＰ、特定用途向け集積回路（ＡＳＩＣ）、無線周波数集積回路（ＲＦＩＣ）、並びに、本明細書に説明される機能を少なくとも実行する様々なハードウェア及びロジック回路の組み合わせを含んでもよい。いくつかの実施形態において、機能要素は、１つ以上の処理要素上で動作する１つ以上の処理を参照し得る。
【００１９】
説明される実施形態は、ハードウェア、ファームウェア、及びソフトウェアのうち１つ又は組み合わせにおいて実装されてよい。実施形態は、さらに、コンピュータ読取可能記憶媒体上に記憶された命令として実装されてもよく、上記命令は、少なくとも１つのプロセッサにより読み出され及び実行されて、本明細書に説明される動作を実行することができる。コンピュータ読取可能記憶媒体は、マシン（例えば、コンピュータ）により読取可能な形式において情報を記憶する任意の非一時的メカニズムを含んでよい。例えば、コンピュータ読取可能記憶媒体は、読取専用メモリ（ＲＯＭ）、ランダムアクセスメモリ（ＲＡＭ）、磁気ディスク記憶媒体、光学記憶媒体、フラッシュメモリ装置、並びに他の記憶装置及び媒体を含んでもよい。こうした実施形態において、１つ以上のプロセッサが、本明細書に説明される動作を実行するように命令を用いて構成されてもよい。
【００２０】
いくつかの実施形態において、処理回路２０６は、ＯＦＤＭＡ通信手法に従ってマルチキャリア（multicarrier）通信チャネルを通じてＯＦＤＭ通信信号を受信するように構成されることができる。ＯＦＤＭ信号は、複数の直交サブキャリアを含み得る。いくつかのブロードバンドマルチキャリア実施形態において、セルラー装置２００は、ブロードバンドワイヤレスアクセス（ＢＷＡ）ネットワーク通信ネットワーク、例えば、ワールドワイドインターオペラビリティフォーマイクロウェーブアクセス（Worldwide  Interoperability  for  Microwave  Access）（ＷｉＭＡＸ（登録商標））通信ネットワーク、又は第３世代パートナーシッププロジェクト（３ＧＰＰ（登録商標））ユニバーサル地上波無線アクセスネットワーク（ＵＴＲＡＮ）、又はロングタームエボリューション（ＬＴＥ（登録商標））通信ネットワーク、又はＬＴＥアドバンスト（LTE-Advanced）通信ネットワーク、又は第５世代（５Ｇ）ＬＴＥ通信ネットワーク、又は高速ダウンリンク／アップリンクアクセス（ＨＳＤＰＡ／ＨＳＵＰＡ）通信ネットワークなどの一部として動作してもよく、しかしながら、本発明の範囲は上記の点において限定されない。
【００２１】
上述されたとおり、データ（例えば、音声及びビデオ）を通信する需要は増加し続けているので、ＲＡＮが、ますます重い通信トラフィックを経験するおそれがある。このことは、不利なネットワーク効果、例えば、低減されたデータレートなどに通じる可能性がある。免許されたスペクトル（ライセンススペクトル）（licensed  spectrum）上のネットワークトラフィックを軽減するために、セルラーネットワーク装置による使用に関して免許されていない（not  licensed）通信スペクトルを用いて動作するネットワークからＲＡＮ装置に通信能力を提供することによって、ネットワーク容量が追加されることができる。通信ピークがローカルで発生することがあり、このローカル区域（locality）を扱う（serving）ＲＡＮがピーク需要を経験することがある。上記区域は、近隣のワイヤレスローカルエリアネットワーク（ＷＬＡＮ）、例えば、ＷｉＦｉ（登録商標）ネットワークを含むＩＥＥＥ８０２．１１ネットワークなどを含み得る。しかしながら、ＷＬＡＮネットワークは免許不要のバンド（アンライセンスバンド）（unlicensed  band）において動作するため、このバンド内で動作するチャネルの可用性及び特性が論点であり得る。ライセンスされたＬＴＥバンドに対して追加でアンライセンスバンドにおいて動作するＵＥ及びｅＮＢはライセンス支援アクセス（License  Assisted  Access）（ＬＡＡ）ＵＥ及びＬＡＡ  ｅＮＢであってもよく、これらは一般に、単にＵＥ及びｅＮＢとして参照される。
【００２２】
アンライセンススペクトルの使用をより良く行うために、ＲＡＮのＵＥは、ＷＬＡＮ情報を決定するように頼まれることがある（あるいは、自動的に決定することができる）。この目的で、１つの実施形態において、ＵＥのうち１つ以上が、アンライセンスバンドの１つ以上のチャネル上のパワー及び干渉測定を能動的に行い、収集してもよい。上記測定値は、他の情報に対して追加で、ＵＥを扱うｅＮＢに送信され、該ｅＮＢにおいて収集されることができる。この情報を使用して、上記ｅＮＢがその一部であるＲＡＮが、アンライセンスバンドにおいて動作するＷＬＡＮネットワークの特性を取得し、こうした特性に基づいてｅＮＢ及びＵＥの双方のためにアンライセンスバンドにおける動作判断を行うことができ得る。例えば、ｅＮＢは、収集された測定情報から、その地理的領域内の任意ポイントにおける干渉の量を決定し、ＵＥが使用すべき（１つ又は複数の）最良のチャネルを選択して性能メトリクスを最大化することができ得る。複数ＵＥの測定値が、所望されるエリア全体にわたって収集される場合、空間的メトリクス、例えばネットワークのすべての地理的エリア全体にわたるエリアスペクトル効率などが、補間を通して決定されてもよい。エリアスペクトル効率は、定義された地理的エリア内のチャネルにより同時にサポートされることが可能なユーザ又はサービスの数量の尺度であり、（システム内のすべてのＵＥにわたり総和された）最大集約スループット（maximum  aggregated  throughput）をチャネル帯域幅で除算した（divided  by）ものとして定義される。
【００２３】
しかしながら、いくつかの実施形態において、個別のｅＮＢにより扱われるＵＥのうち１つ以上が、ネットワーク特性の実際の測定を行わなくてもよく、あるいは、上記測定値を用いてネットワーク性能を最適化することにおいてＬＴＥシステムにより使用される、他の、より計算的に集中的でない（less  computationally  intensive）情報を補足してもよい。このことを達成するために、本明細書に説明されるシステムは、ＵＥにより行われる測定を必要とすること又は既存のＬＴＥシステム測定及び／又はレポーティング手順に対する修正を必要とすることなく、ＷＬＡＮにおいて既に利用可能な情報を活用してもよい。１つの実施形態において、ｅＮＢに対してＵＥにより提供されるＷＬＡＮ情報は、アクセスポイント（ＡＰ）から周期的にブロードキャストされるＷＬＡＮ管理フレーム、例えばビーコンフレームなどに包含されてもよい。ＷＬＡＮ管理フレームは、ＡＰの存在を告知し（announce）、例えば、タイムスタンプ（同期のため）、基本サービスセット識別子（Basic  Service  Set  Identifier）（ＢＳＳＩＤ）、ＢＳＳロード（Load）、能力、サポートされるデータレートを包含することができる。別の実施形態において、ＷＬＡＮ情報は、ＷＬＡＮ測定レポート（Measurement  Report）に関して定義された情報を含んでもよい。ＷＬＡＮ測定レポートに関して定義された情報には、クリアチャネルアクセス（Clear  Channel  Access）（ＣＣＡ）レポート、受信パワーインジケータ（Received  Power  Indicator）（ＲＰＩ）ヒストグラムレポート、チャネルロードレポート、及び雑音ヒストグラムレポートが含まれ得る。ＵＥがそれ自体、ＷＬＡＮ測定レポート内のレポートのための無線測定を実行してもよく、あるいは、同じＢＳＳ内の他のＵＥに、ＷＬＡＮ管理フレーム内で該他のＵＥにより広告される（advertised）無線測定能力に基づいて、当該ＵＥの代わりに測定を実行するように要求してもよい。
【００２４】
１つの実施形態において、ＵＥは、所望されるＷＬＡＮ情報を取得し、このＷＬＡＮ情報をｅＮＢに送信することができる。ｅＮＢは、１つの実施形態において、１つ以上のＵＥからＷＬＡＮ情報を収集し、収集された情報を処理し、処理された情報をネットワークエンティティに提出する（submit）ことができ、これにおいて、処理された情報は、ＵＥによるＬＴＥアンライセンスバンドの使用に関わるネットワーク動作を制御することにおいて、使用されることができる。ネットワーク動作は、複数の候補チャネルの間でのｅＮＢによるチャネル選択を含んでもよい。ＬＴＥ動作のために既存のＷＬＡＮシステムによってあまり使われていない（less  populated）チャネルを選択することによって、双方のシステムがよりクリアなチャネル環境を享受することができる。さらに、サービングｅＮＢが、新たに参加したＵＥを、対応するＵＥが比較的少ないＷＬＡＮ干渉を経験することを予期されるチャネルを通じて動作するｅＮＢに、割り当てたいことがある。ＷＬＡＮ情報は、さらに、ＵＥグルーピング／ローカライゼーション（localization）に使用されてもよく、上記グルーピング／ローカライゼーションは、ＵＥについてのグループセンシング及びスケジューリングを可能にし得る。上記情報は、さらに、関連付け、ハンドオーバ、セル周波数ホッピング、パワー制御、及びＣＣＡ適応のためにネットワークエンティティにフォワードされ（forwarded）てもよい。
【００２５】
図３は、いくつかの実施形態に従う、ＷＬＡＮ情報を取得し及び使用する方法のメッセージフローを例示している。図４は、いくつかの実施形態に従う、ＷＬＡＮ情報を取得し及び使用する方法のフローチャートを例示している。図３及び図４に示されるとおり、ｅＮＢは、１つ以上のＵＥに、近隣のＷＬＡＮ情報のための要求を送ることができる（図３におけるＳ１１、図４におけるステップ４０２）。１つ以上のＵＥの各々は、ＷｉＦｉ送受信器を有して１つ以上のＡＰと通信することができ得る。
【００２６】
ｅＮＢから要求を受信したＵＥは、ＷＬＡＮ情報を取得することができる（図３におけるＳ１２、図４におけるステップ４０４）。１つの実施形態において、ＷＬＡＮ情報は、ＵＥによって直接取得されることができる。１つの実施形態において、ＵＥは、いかなる測定も実行することなく、ビーコン信号から情報を取得することができる。１つの実施形態において、ＵＥは、ＷＬＡＮ信号に対して１つ以上の測定を実行することよって情報を取得することができる。１つの実施形態において、ＵＥは、プロキシ装置を通して間接的に情報を取得することができ、上記プロキシ装置は、ＷＬＡＮ情報を測定し又はその他の方法で取得し、ＷＬＡＮ情報をＵＥに提供することができる。
【００２７】
ＷＬＡＮ情報を取得した各ＵＥは、それから、ＷＬＡＮ情報を含むレポートを生成し、要求を送ってきたｅＮＢにレポートを送信することができる（図３におけるＳ１３、図４におけるステップ４０６）。１つの実施形態において、ＵＥからのレポートは、ｅＮＢにより指定されたとおり、ｅＮＢに送信されることができる。１つの実施形態において、ＵＥからのレポートは、要求の中でｅＮＢにより指定されたとおり、ｅＮＢに送信されることができる。１つの実施形態において、各ＵＥからのレポートは、ＵＥのための任意の利用可能なアップリンク送信において、ｅＮＢに送信されることができる。
【００２８】
ｅＮＢは、報告されたＷＬＡＮ情報を収集し、ｅＮＢ及び他のｅＮＢに関わるネットワーク動作判断を行うネットワークエンティティ、例えばＭＭＥなどに、ＷＬＡＮ情報を送るかどうかを決定することができる（図４におけるステップ４０８）。１つの実施形態において、ｅＮＢは、報告されるＷＬＡＮ情報を単一のレポートにおいて収集することができる。１つの実施形態において、ｅＮＢは、異なるＵＥからのＷＬＡＮ情報を、異なるＷＬＡＮカテゴリ、例えば、ＡＰ、パワーレベル、又は干渉レベルへと編成することができる。１つの実施形態において、ｅＮＢは、ＷＬＡＮ情報を、各カテゴリ又はＵＥについて、異なるレポートへと編成することができる。
【００２９】
上記ステップ４０８において、ｅＮＢが、収集されたＷＬＡＮ情報がネットワークエンティティに送られるべきであると判断する場合、図４のステップ４１０において、ｅＮＢは、収集されたＷＬＡＮ情報をネットワークエンティティにフォワードすることができる。１つの実施形態において、ｅＮＢは、収集されたＷＬＡＮ情報を単一のレポートにおいてネットワークエンティティにフォワードすることができる。１つの実施形態において、異なるＵＥからの収集されたＷＬＡＮ情報が、異なるＷＬＡＮカテゴリへと編成されることができる。１つの実施形態において、ＷＬＡＮ情報は、異なるレポートにおいてネットワークエンティティに送信されることができる。
【００３０】
ｅＮＢが、収集されたＷＬＡＮ情報をネットワークエンティティにフォワードするかどうかにかかわらず、ｅＮＢは、収集されたＷＬＡＮ情報を処理することができる（図３におけるＳ１４、図４におけるステップ４１２）。１つの実施形態において、ｅＮＢは、収集されたＷＬＡＮ情報を、ＬＴＥアンライセンスバンド内の複数のチャネルの各々について干渉を決定することによって処理することができる。１つの実施形態において、ｅＮＢは、収集されたＷＬＡＮ情報を、ＬＴＥアンライセンスバンド内の複数のチャネルの各々についてロードを決定することによって処理することができる。
【００３１】
ｅＮＢは、その後、図４のステップ４１４において、ｅＮＢに関わるネットワーク動作判断を行うことにおいてＷＬＡＮ情報を使用することができる。１つの実施形態において、ｅＮＢは、ＷＬＡＮによってあまり使われていないＬＴＥアンライセンスバンド内のチャネルを選択することができる。１つの実施形態において、ｅＮＢは、新しいＵＥを、選択されたチャネルを通じて動作するｅＮＢに割り当てることができる。１つの実施形態において、ｅＮＢは、ＵＥグルーピング又はローカライゼーションを決定して、ＬＴＥ  ＵＥのためのグループセンシング及びスケジューリングを可能にすることができる。１つの実施形態において、ｅＮＢは、或るＵＥを同じグループ内の又は近接した別のＵＥのための代理として指名する（appointing）メッセージを送信して、該別のＵＥの代わりにチャネルセンシングを実行させることができる。１つの実施形態において、ｅＮＢは、所定のトリガ条件が満たされることとレポートがｅＮＢに送られるべき継続時間とに応答して、レポートを送るようにＵＥに示すことができる。
【００３２】
より具体的に、ｅＮＢは、ｅＮＢにより扱われる少なくとも１つのＵＥに、ＷＬＡＮ情報の要求を送信することができる。１つの実施形態において、ｅＮＢは、要求をすべてのＵＥに送信することができる。１つの実施形態において、ｅＮＢは、ＵＥのうちのサブセットだけを対象にすることができる。このサブセットは、ｅＮＢにより扱われる地理的エリア内のＵＥの場所に基づいて決定されることができる。例えば、ｅＮＢは、ＷｉＦｉ送受信器を有することをｅＮＢにより知られているＵＥにのみ、要求を送信してもよい（送受信器が現在アクティブであるか否かにかかわらず）。ｅＮＢは、個別のＵＥからｅＮＢに送信される無線リソース制御（ＲＲＣ）メッセージ、例えばＲＲＣ接続要求などから、個別のＵＥがＷｉＦｉ送受信器を有するかどうかに関する情報を獲得してもよい。別の実施形態において、ｅＮＢは、最初、（例えば、グローバルポジショニングシステム（ＧＰＳ）を介して）互いから所定の最小距離に位置すること（又は、ＵＥがアクセスすることができるＡＰについての高度に相関したリストを有すること、又は同様量の干渉を有すること）を知られているＵＥを選択し、かつ／あるいは、ＷＬＡＮ情報が所定の最小量の時間について妥当であるように十分ゆっくり移動しているＵＥのみ対象にすることができる。要求は、ＷＬＡＮ測定及びレポーティングの通信態様、例えば、ＵＥがＡＰと通信するための特定の１つ又は複数のチャネル、及びＷＬＡＮ情報が要求される時間ウィンドウなどを指定することができる。
【００３３】
ｅＮＢからの要求は、指定された１つ又は複数のチャネルを通じて動作するＡＰに関する情報をさらに包含してもよい。例えば、ｅＮＢが、要求の中に、ｅＮＢにより扱われる空間エリア内、及びおそらく（ＧＰＳにより決定されるとおり）ＵＥが配される特定エリア内の、ＡＰのビーコンスケジュールを含んでもよい。各ビーコンスケジュールが、関連付けられたＡＰについてのチャネルインデックス、大まかなビーコン開始時間、及びＢＳＳＩＤのうち、１つ以上を含んでもよい。ＢＳＳＩＤは、ＡＰのＭＡＣアドレスである。ｅＮＢは、要求の中でＵＥに、ＷＬＡＮ情報を取得するためにＡＰと相互作用することにおいてプローブ要求（Probe  Request）メッセージを使用するように指図してもよい。ＵＥは、応答において、指定されたＡＰを直接、チャネルインデックス及びＢＳＳＩＤを用いて調査して、ＷＬＡＮ情報を取得し、迅速にレポートを生成し、要求してきたｅＮＢにレポートを送信することができる。
【００３４】
上記のとおり、ｅＮＢからの要求は、ＷｉＦｉ送受信器を有する１つ以上のＵＥに送られることができる。ｅＮＢは、ＷｉＦｉ送受信器を介して、標準ＷｉＦｉ測定フレームを用いて、要求を送信することができる。しかしながら、ｅＮＢそれ自体は、ＷｉＦｉ送受信器を有さなくてもよい。この場合、要求は、ＬＴＥシグナリング、例えば、ライセンス若しくはアンライセンスチャネル（licensed  or  unlicensed  channel）を通じてのＬ１／Ｌ２物理ダウンリンク制御チャネル（ＰＤＣＣＨ）、媒体アクセス制御制御要素（ＭＡＣ−ＣＥ）、無線リソース制御（ＲＲＣ）シグナリング、又は任意の他のより高いレイヤのシグナリングを介して、ＵＥに送信されることができる。
【００３５】
要求は、複数の異なるタイプのＷＬＡＮ情報についての要求を含んでもよい。ＷＬＡＮ情報は、ＢＳＳＩＤ、ＷＬＡＮ管理フレームボディに含まれる情報、及び／又はＷＬＡＮ測定レポートに関して定義された測定情報（ＩＥＥＥ８０２．１１−２０１２の表８−８１）を含んでもよい。詳細には、ＷＬＡＮ管理フレームボディは、ビーコンフレームボディを含んでもよく、上記ビーコンフレームボディは、例えば、（ＩＥＥＥ標準８０２．１１−２０１２の）タイムスタンプ（Timestamp）、ビーコン間隔（Beacon  interval）、能力（Capability）、ＳＳＩＤ、サポートレート（Supported  rates）、周波数ホッピング（ＦＨ）パラメータセット；ダイレクトシーケンス（Direct-Sequence）（ＤＳ）パラメータセット；競合なし（Contention-Free）（ＣＦ）パラメータセット；独立基本サービスセット（ＩＢＳＳ）パラメータセット；トラフィック指標マップ（Traffic  Indication  Map）（ＴＩＭ）、国（Country）、ＦＨパラメータ、ＦＨパターンテーブル、パワー制約（Power  Constraint）、チャネルスイッチ告知（Channel  Switch  Announcement）、クワイエット（Quiet）、ＩＢＳＳ  ＤＦＳ、送信パワー制御（ＴＰＣ）レポート、有効放射パワー（effective  radiated  power）（ＥＲＰ）、拡張サポートレート（Extended  Supported  Rates）、ＲＳＮ、ＢＳＳロード、ＥＤＣＡパラメータセット、サービス品質（ＱｏＳ）能力、ＡＰチャネルレポート、ＢＳＳ平均アクセス遅延、アンテナ、ＢＳＳ利用可能アドミッション容量（BSS  Available  Admission  Capacity）、ＢＳＳ  ＡＣアクセス遅延、測定パイロット送信、複数のＢＳＳＩＤ、ＲＭ対応能力（RM  Enabled  Capabilities）、モビリティドメイン（Mobility  Domain）、ＤＳＥ登録場所（DSE  registered  location）、拡張チャネルスイッチ告知（Extended  Channel  Switch  Announcement）、サポート動作クラス（Supported  Operating  Classes）、ＨＴ能力（HT  Capabilities）、ＨＴ動作（HT  Operation）、２０／４０ＢＳＳ共存（20/40  BSS  Coexistence）、オーバーラップＢＳＳスキャンパラメータ（Overlapping  BSS  Scan  Parameters）、拡張能力（Extended  Capabilities）、フィールド管理システム（Field  Management  System）（ＦＭＳ）ＱｏＳトラフィック能力（Traffic  Capability）、時間広告（Time  Advertisement）、インターワーキング（Interworking）、広告プロトコル（Advertisement  Protocol）、ローミングコンソーシアム（Roaming  Consortium）、緊急アラート識別子（Emergency  Alert  Identifier）、メッシュＩＤ、メッシュ構成（Mesh  Configuration）、メッシュアウェイク（Mesh  Awake）、ビーコンタイミング（Beacon  Timing）、メッシュ協調機能協調チャネルアクセス機会（mesh  coordination  function  coordinated  channel  access  opportunity）（ＭＣＣＡＯＰ）広告概要（Advertisement  Overview）、ＭＣＣＡＯＰ広告、メッシュチャネルスイッチパラメータ、及びベンダー固有情報を含む。しかしながら、本開示は、上記で提供されたものなどのＷＬＡＮ情報に限定されない。将来のテクノロジーリリース、例えばＩＥＥＥ８０２．１１ａｘなどにおいて定義される関連ＷＬＡＮ情報が、本明細書に説明される手法を用いて要求され、報告されてもよい。
【００３６】
プローブ応答（Probe  Response）フレームボディ（ＩＥＥＥ標準８０２．１１−２０１２の表８−２７）が、例えば、ＴＩＭ、ＱｏＳ能力、ＦＭＳ記述子、及びメッシュアウェイクを除く、ビーコンフレームボディに含まれる情報を含んでもよい。プローブ応答フレームボディは、チャネル使用法（Channel  Usage）、タイムゾーン（Time  Zone）、及びメッシュアウェイクウィンドウ（Mesh  Awake  Window）情報をさらに含んでもよい。ここでは列挙されないが、関連付け応答（Association  Response）、再関連付け応答（Reassociation  Response）、認証（Authentication）、及び認証解除（Deauthentication）を含む任意のＷＬＡＮ管理フレーム内に含まれる任意の情報が、ｅＮＢによって要求されてもよい。
【００３７】
ＷＬＡＮ測定レポートに関して定義された測定情報は、複数のレポートを含んでもよい。基本レポートは、妥当なＭＡＣプロトコルデータユニット（ＭＰＤＵ）、ＯＦＤＭプリアンブル、識別されていない信号（これは、レーダ、ＯＦＤＭプリアンブル、又は妥当なＭＰＤＵとして特徴付けられない）、及びレーダの検出を示すことができる。クリアチャネルアセスメント（Clear  Channel  Assessment）（ＣＣＡ）レポートが、測定継続時間の間にチャネルがビジーであったとＣＣＡが示した断片的継続時間（fractional  duration）を提供してもよい。受信パワーインジケータ（ＲＰＩ）ヒストグラムレポートが、ＩＥＥＥ標準８０２．１１−２０１２の表８−８２に定義される８個のＲＰＩレベルについて、チャネル内で観察されたＲＰＩ密度を含んでもよい。チャネルロードレポートが、測定ＵＥがチャネルをビジーであると決定した、測定継続時間のうちの割合を含んでもよい。雑音ヒストグラムレポートが、ＩＥＥＥ標準８０２．１１−２０１２の表８−８４に定義される１１個のアイドルパワーインジケータ（idle  power  indicator）（ＩＰＩ）レベルについて、チャネル内で観察されたＩＰＩ密度を含んでもよい。ビーコンレポートが、例えば、ビーコンの受信チャネルパワーインジケータ（received  channel  power  indicator）（ＲＣＰＩ）、測定パイロット、又はプローブ応答フレーム、ビーコンの受信信号対雑音インジケータ（received  signal  to  noise  indicator）（ＲＳＮＩ）、測定パイロット、又はプローブ応答フレーム、及び、ビーコンからのＢＳＳＩＤ、測定パイロット、又は報告されるプローブ応答フレームを含んでもよい。フレームレポートが、送信器アドレス（Transmitter  Address）、この送信器から受信したフレームの数、これらフレームの平均ＲＣＰＩ、及び送信器のＢＳＳＩＤを含んでもよい。ＳＴＡ統計レポートが、ＳＴＡカウンタについて及びＢＳＳ平均アクセス遅延について、値のグループを返してもよい。ＳＴＡカウンタグループ値が、送信フラグメントカウント（transmitted  fragment  counts）、グループアドレス送信フレームカウント（group  addressed  transmitted  frame  counts）、失敗カウント（failed  counts）、リトライカウント（retry  counts）、複数リトライカウント、フレーム複製カウント、送信要求（Request  to  Send）（ＲＴＳ）成功カウント、ＲＴＳ失敗カウント、肯定応答（Acknowledgement）（ＡＣＫ）失敗カウント、受信フラグメントカウント（received  fragment  counts）、グループアドレス受信フレームカウント（group  addressed  received  frame  counts）、ＦＣＳエラーカウント、及び送信フレームカウントを含んでもよい。ＢＳＳ平均アクセス遅延グループ値が、ＡＰ平均アクセス遅延、各アクセスカテゴリの平均アクセス遅延、関連ＳＴＡカウント（associated  STA  count）、及びチャネル利用を含んでもよい。ＬＣＩレポートが、緯度、経度、及び高度の観点から、要求された場所を返してもよい。ＬＣＩレポートが、高度のタイプ、例えばフロアなどを含み、様々なレポーディング分解能を許容してもよい。送信ストリーム／カテゴリ測定レポートが、測定されるトラフィックストリームについて、送信側性能メトリクスを提供してもよい。他のレポートが、マルチキャスト診断レポート、ロケーションシビック（location  Civic）レポート��及びロケーション識別（location  identification）レポートを含んでもよい。
【００３８】
上記のとおり、ｅＮＢからの要求は、関心のある１つ以上の特定チャネル、ＷＬＡＮ情報が要求される時間ウィンドウ、及びＷＬＡＮ情報を指定することができる。いったん要求がＵＥに送信されると、ＵＥは、ＵＥのＷｉＦｉ送受信器を用いて、要求内に示される近隣ＷＬＡＮ情報を獲得することができる。１つの実施形態において、ＷＬＡＮ情報は、ＡＰのＢＳＳＩＤを含むことができる。ＵＥは、ＷｉＦｉ送受信器を介して、すでにＢＳＳＩＤを獲得していて、要求内で指定された１つ又は複数のチャネル上でＵＥがビーコンを受信できるＡＰのリストを、メモリ内に記憶していてもよい。ＷｉＦｉ送受信器がまだアクティブ化されておらず、あるいはＵＥがＡＰリストを記憶しない別の実施形態において、ＵＥは、ＷｉＦｉ送受信器をオンにし、かつ／あるいは、各々の指定されたチャネルに順次合わせてＡＰのＢＳＳＩＤを収集してもよい。ＢＳＳＩＤは、ＷＬＡＮ  ＭＡＣフレーム内に含まれてもよい。集約ＭＡＣサービスデータユニット（aggregated  MAC  service  data  unit）（Ａ−ＭＳＤＵ）において、データフレームのアドレス３フィールドは常にＢＳＳＩＤを運ぶ。ＭＳＤＵにおいて、アドレス１、アドレス２、及びアドレス３フィールドは、フレーム制御内のＴｏ  ＤＳ及びＦｒｏｍ  ＤＳペアが（１，０）、（０，１）、及び（０，０）にそれぞれ設定されるとき、ＢＳＳＩＤを運ぶ。管理フレームにおいて、ＢＳＳＩＤはシーケンス制御の前のオクテット内に含まれ得る。
【００３９】
ＷＬＡＮ情報を獲得するために、ＵＥは、最初、ｅＮＢからの要求内に指定される要求された情報を含む管理フレームタイプを識別することができる。いくつかの実施形態において、ＷＬＡＮ情報は、ＡＰからのメッセージ、例えばビーコン信号などを受動的にリッスンすることにより、ＵＥによって取得されることができ得る。この場合、ＵＥは、指定された時間ウィンドウにわたりフレームの対応するフィールド内のデータを抽出することによって、情報を収集することができる。しかしながら、別の実施形態において、ＵＥが、よりアクティブな役割を果たしてもよい。詳細には、要求されたＷＬＡＮ情報が、ＡＰに要求メッセージを送ることとＡＰからＷＬＡＮ情報を含む応答メッセージを受けることとによって取得され得ることを、ＵＥが決定してもよい。別の実施形態において、ＵＥ自体は上記決定を行わなくてもよく、代わって、ｅＮＢからの要求が、ＵＥに、ＵＥがビーコンを受信することができるＡＰに対して要求メッセージを送信するように示してもよい。ＵＥとｅＮＢとの間で交換されることが可能なメッセージのタイプには、プローブ要求／プローブ応答メッセージ、関連付け要求／関連付け応答、及び再関連付け要求／再関連付け応答フレームが含まれる。
【００４０】
別の実施形態において、要求が、ＷＬＡＮ測定レポートに関して定義された情報についての要求を含むことを、ＵＥが決定してもよい。この場合、ｅＮＢに対する応答においてＵＥがＷＬＡＮ情報を送る前に、測定が完了され得る。ＵＥが測定情報を取得することができるいくつかの方法が存在する。１つの実施形態において、ＵＥ自体が、指定された１つ又は複数のチャネル上で測定を実行することができる。別の実施形態において、ＵＥが、ＷＬＡＮを介して通信することが可能かつ同じＢＳＳ内の１つ以上の他の通信装置に、該ＵＥの代わりに測定を実行するように要求してもよい。上記ＷＬＡＮ装置には、ＷＬＡＮモデムを有するＬＴＥ  ＵＥが含まれ得る。上記要求は、管理フレーム内でＲＭ対応能力要素を用いて無線測定能力を公告したＷＬＡＮ装置に送られることができる。上記のとおり、無線測定能力は、メッセージ、例えば、ビーコン、関連付け要求、関連付け応答、再関連付け要求、再関連付け応答、又はプローブ応答などにおいて広告されることができる。ＲＭ対応能力要素が、ＩＥＥＥ標準８０２．１１−２０１２の表８−１１９内に列挙される対応する能力が有効にされているかをどうかを示してもよく、上記能力には、リンク測定（Link  Measurement）、近隣レポート（Neighbor  Report）、並列測定（Parallel  Measurements）、繰り返し測定（Repeated  Measurements）、ビーコン受動測定（Beacon  Passive  Measurement）、ビーコン能動測定（Beacon  Active  Measurement）、ビーコン表測定（Beacon  Table  Measurement）、ビーコン測定レポーティング条件（Beacon  Measurement  Reporting  Conditions）、フレーム測定（Frame  Measurement）、チャネルロード測定（Channel  Load  Measurement）、雑音ヒストグラム測定（Noise  Histogram  Measurement）、統計測定（Statistics  Measurement）、ＬＣＩ測定、ＬＣＩ方位（LCI  Azimuth）、送信ストリーム／カテゴリ測定、トリガ送信ストリーム／カテゴリ測定（Triggered  Transmit  Stream/Category  Measurement）、ＡＰチャネルレポート、ＲＭ  ＭＩＢ、測定パイロット送信情報、近隣レポートＴＳＦオフセット、ＲＣＰＩ測定、ＲＳＮＩ測定、ＢＳＳ平均アクセス遅延、ＢＳＳ利用可能アドミッション容量、及びアンテナ能力が含まれる。
【００４１】
ＵＥは、要求内に列挙された情報を収集し、ＷＬＡＮ情報を含むレポートを生成してもよい。要求が、複数のチャネルが要求されていることを示す場合、レポートが、チャネルごとに編成されてもよい。ＵＥが、複数のビーコンを異なるＡＰから一チャネルを通じて受信することができる場合、各チャネルに対するレポートが、複数のＢＳＳＩＤに関する情報を含んでもよい。さらに、ＷＬＡＮ情報のうちいくつかが、収集されることができない場合、ＵＥが、ＷＬＡＮ情報を収集することができないことをレポートの中で示してもよい。
【００４２】
種々の実施形態において、レポートが、種々の状況下で要求ｅＮＢに対して生成され、かつ／あるいは送られてよい。例えば、レポートは受動的に送られてもよく、ＷＬＡＮ情報を集めること及びレポートを送信することは、ＵＥが要求を受信することに応答してトリガされ得る。さらに、ＷＬＡＮ情報を集めること及びレポートを送信することは、要求を介してｅＮＢによって確立されてもよく、ただし、ある条件が満たされたときのみトリガされることができる。トリガ条件は、例えば、ＵＥがビーコンを捕らえる（overhear）ことができるＢＳＳＩＤのセットなどの近隣ＷＬＡＮ情報における変化、又は、所定閾値を超えての広告されたＢＳＳロードレベルにおける変化であり得る。トリガ条件が満足されることに応答して、ＵＥが、レポートを先取的に（proactively）生成し、レポートをｅＮＢに送ってもよい。この場合のトリガ条件と先取的なレポーティングが要求される継続時間とは、ｅＮＢからの要求によって設定されてもよい。レポートは、要求によって提供される時間ウィンドウの終わりにおいて送信されてもよい。別法として、レポートは規則的に更新されてもよく、条件のうち１つが所定の仕方において変化したらすぐか、あるいは時間ウィンドウ内の所定の時間間隔においてかのいずれかで、ＵＥからｅＮＢに送信されてもよい。いくつかの実施形態において、完全なレポートが送信において提供されてもよく、別法として、前の送信から所定量だけ変化した情報のみがレポート内で提供されてもよい。
【００４３】
ＬＴＥ  ＬＡＡ  ｅＮＢが、ＷｉＦｉ送受信器を有さない場合、レポートメッセージは、例えば、Ｌ１／Ｌ２（ＰＤＣＣＨ）、ＭＡＣ  ＣＥ、ＲＲＣシグナリング、又は任意の他のより高いレイヤのシグナリングを介して、ＬＴＥ  ＬＡＡ  ｅＮＢに信号伝達されることができる。ＬＴＥ  ＬＡＡ  ｅＮＢが、ＷｉＦｉ送受信器を有する場合、レポートメッセージは、例えば、Ｌ１／Ｌ２（ＰＤＣＣＨ）、ＭＡＣ  ＣＥ、ＲＲＣシグナリング、又は任意の他のより高いレイヤのシグナリングを介して信号伝達され、あるいは通常のＷｉＦｉ測定フレームを用いて信号伝達されることができる。別の実施形態において、ＬＴＥ  ＬＡＡ  ｅＮＢがＷｉＦｉ送受信器を有するとしても、レポートメッセージが依然として、Ｌ１／Ｌ２、ＭＡＣ  ＣＥ、ＲＲＣシグナリングを介して信号伝達されてもよい。この判断は、例えば既知のトラフィック又は干渉レベルに依存して、ＬＴＥ  ＬＡＡ  ｅＮＢによって行われることができる。
【００４４】
上記のとおり、レポートは（要求に対して追加で）、ｅＮＢがＷｉＦｉ送受信器を有する場合、ＷｉＦｉを通じて送信されることができる。しかしながら、上記のとおり、ｅＮＢがＷｉＦｉ送受信器を有するかどうかにかかわらず、レポートは、例えば、ライセンス又はアンライセンスチャネルを通じてのＬ１／Ｌ２物理ダウンリンク制御チャネル（ＰＤＣＣＨ）、媒体アクセス制御制御要素（ＭＡＣ−ＣＥ）、無線リソース制御（ＲＲＣ）シグナリング、又は任意の他のより高いレイヤのシグナリングを介してｅＮＢに送信されてもよい。要求又は応答がＷｉＦｉを通じて送られない場合、ｅＮＢとＵＥとの間の通信は、ライセンスチャネル又はアンライセンスチャネルのいずれかを通じて実施することができる。要求は、レポートがｅＮＢに提供されるべき仕方、例えばチャネル及び送信テクノロジーを指定することができる。要求がｅＮＢからＵＥに送信される仕方は、レポートがｅＮＢからＵＥに送信される仕方と同じであってもよく、あるいは異なってもよい。例えば、要求がＬ１／Ｌ２ＰＤＣＣＨを介して送られ、応答がＲＲＣメッセージを介して送られてもよく、あるいは、要求がＷｉＦｉを介して送られ、応答がＭＡＣ−ＣＥメッセージを介して送られてもよい。
【００４５】
レポートは、ＵＥの動的に変化する環境に関する情報を、ｅＮＢに提供することができる。いったんＵＥからのレポートがｅＮＢにおいて受信されると、ｅＮＢは、例えば、ＷＬＡＮ情報をレポートから抽出すること及びＷＬＡＮ情報を使用する仕方を決定することによって、ＷＬＡＮ情報を処理することができる。１つの実施形態において、ＷＬＡＮ情報は、チャネル選択においてｅＮＢによって使用されることができる。詳細には、ｅＮＢは、ｅＮＢの要求に対する応答が受信されたＵＥのうちすべてから、ＢＳＳＩＤ情報を収集することができる。詳細には、複数の上記ＵＥが、或る個別チャネルにおいて動作する異なるＢＳＳＩＤ（ＡＰ）を報告する場合、ｅＮＢは、チャネル選択の間、該チャネルを選択することを回避することができる。ｅＮＢが、複数チャネルを通じて動作することができる場合、ｅＮＢは、各ＵＥに対する１つ又は複数のサービングチャネルを、ＵＥにより提供されるＢＳＳＩＤ情報に基づいて、あまり混んでいない（すなわち、より少ない使用量を有する）及び／又はより少ない干渉を有する１つ又は複数のチャネルを選択することによって、区別することができる。
【００４６】
ＢＳＳＩＤが、チャネル選択に使用される唯一の情報でなくてもよい。他の、ＷＬＡＮ管理フレーム内に含まれる情報又はＷＬＡＮ測定レポートに関して定義される情報が、チャネル選択にさらに使用されてもよい。例えば、追加的な情報、例えば、ＢＳＳロード、ＢＳＳ平均アクセス遅延、ＣＣＡレポート、又はチャネルロードレポートなどが、チャネル選択において、ＢＳＳＩＤに対して追加で又はＢＳＳＩＤに代わって補助してもよい。例えば、或る個別チャネルにおいて動作するＢＳＳＩＤを報告するＵＥがほとんどないとしても、ｅＮＢは、上記個別チャネルが既存のＷＬＡＮシステムにより多大に使用されていることを示すＷＬＡＮレポート内の上記追加情報を抽出することに応答して、該チャネルを選択しないことができる。ＷＬＡＮ情報を処理することにおいて、ｅＮＢは、ＷＬＡＮ情報に基づいてさらなる決定を行ってもよいことに留意されたい。例えば、ＵＥが、ｅＮＢにより扱われる地理的範囲全体にわたる干渉レベルの完全な像を提供しないことがある。しかしながら、ｅＮＢは、レポート内でＵＥにより提供されるＷＬＡＮ情報に関連して標準的な補間手法を用いて、ＵＥ間の地理的場所における干渉レベルを補間することができ得る。
【００４７】
別の実施形態において、ｅＮＢは、ＷＬＡＮ情報を使用して、ＵＥグルーピング又はローカライゼーションを決定してもよい。上記のとおり、ｅＮＢは、ｅＮＢの要求に対する応答が受信されたＵＥのうちすべてから、ＢＳＳＩＤ情報を収集することができる。複数のＵＥからのＷＬＡＮ情報が、ＢＳＳＩＤについての高度に相関したセットを示す場合、ｅＮＢは、上記ＵＥを一緒にグループ化することができる。換言すると、同じＢＳＳＩＤセットが種々のＵＥにより報告されることの単なる存在が、上記ＵＥが互いに対して近接していることを示し得る（これらＵＥが、ＡＰから、厳密に同じ又はほぼ同じＢＳＳＩＤを捕捉することができるため）。上記相関自体が、ＵＥが同様のＷｉＦｉ干渉を被っていることを示し得る。同様に、追加的な場所関連情報が、ＢＳＳＩＤ相関情報に代わって又は追加で、利用可能であり、使用されてもよい。追加的な場所関連情報には、例えば、ＬＣＩレポートが含まれ得る。ｅＮＢは、いずれか又は双方の情報セットを利用して、例えば、ＧＰＳにより提供されるよりもより正確な、ＵＥのローカライゼーションを提供することができる。
【００４８】
ｅＮＢは、ＵＥグルーピング／ローカライゼーション情報を使用して、ＵＥ間におけるエネルギー節約を促進することができる。より具体的に、ＵＥについての或る個別セットが一緒にグループ化される（すなわち、互いに対して地理的に近接して位置する）ことを決定した後、ｅＮＢは、ＵＥの上記グループ全体のための機能を実行するように、ＵＥの上記グループから１つ以上の代理ＵＥを指名することができる。例えば、ｅＮＢが、アンライセンスバンド干渉を決定するためにチャネルセンシングを要求する場合、ｅＮＢは、同様の干渉を被る上記グループ内の他ＵＥの代わりにチャネルセンシングを提供するように、（１つ又は複数の）上記代理ＵＥを指名することができる。こうすることにより、非代理ＵＥによるチャネルセンシングのためのエネルギー消費が、利用可能情報における損失の無さに対して無視できるほどで、低減されることができる。さらに、ｅＮＢは、どのＵＥが代理になるかを周期的に交替させることによって、同じグループ内の又は近接したＵＥ間におけるエネルギー消費のバランスをとることができる。ｅＮＢは、さらに、どのＵＥが代理になるかを、ＵＥのバッテリステータスに基づいて決めてもよい。例えば、ｅＮＢが、初期レポート又は他の通信においてパワー情報を提供してもよく、ｅＮＢが、バッテリで動作しているＵＥの中で、永続的なパワーサプライに接続された（例えば、壁のソケットにプラグ接続されているなどの）ＵＥに対して代理を優先させてもよい。別の実施形態において、ｅＮＢが、ＵＥのバッテリ特性で周期的に更新され、これに応じて代理を更新してもよい。ｅＮＢは、同じグループ内の又は近接した複数のＵＥをスケジュールしてもよい。
【００４９】
別の実施形態において、ＵＥから収集されたＷＬＡＮ情報をｅＮＢが処理することに代わって又は追加で、ｅＮＢは、収集されたＷＬＡＮ情報をネットワークエンティティ、
例えばＭＭＥなどにフォワードしてもよい。ネットワークエンティティが、様々なネットワーク適用のために、ＵＥから直接、レポート及び／又は他の情報をさらに収集してもよい。ネットワークエンティティが、適用、例えば、ＵＥの個別ｅＮＢとの関連付け、ＵＥの或るｅＮＢから別のものへのハンドオーバ、ｅＮＢ及び／又はＵＥのセル周波数ホッピング、ｅＮＢ及び／又はＵＥのパワー制御、並びにｅＮＢ及び／又はＵＥのＣＣＡ適応などにおいて、ｅＮＢ及び／又はＵＥを制御してもよい。
【００５０】
実施形態が、特定の例示的な実施形態を参照して説明されたが、本開示の主旨及び範囲から逸脱することなく、こうした実施形態に対して様々な修正及び変更が行われ得ることが明らかであろう。したがって、明細書及び図面は、限定的ではなく例示的な意味において考慮されるべきである。添付図面は明細書の一部を形成し、限定としてではなく例示として、対象事項が実施され得る特定実施形態を示している。例示される実施形態は、当業者が本明細書に開示される教示を実施するのを可能にするよう十分詳細に説明されている。上記実施形態から、他の実施形態が利用され、導出される可能性があり、したがって、構造的及び論理的な代替及び変更が、本開示の範囲から逸脱することなく行われ得る。したがって、本詳細な説明は、限定的な意味においてとられるべきではなく、様々な実施形態の範囲は、別記の請求項とこうした請求項が権利を与えられる均等物の完全な範囲とによってのみ定義される。
【００５１】
発明対象事項の実施形態は、本明細書において、個々に及び／又は集合的に、簡便さのために単に用語「発明」によって参照されることがあり、２つ以上の発明又は発明概念が実際に開示される場合に、本出願の範囲をいずれか１つの発明又は発明概念に自発的に限定することは意図されない。ゆえに、特定実施形態が本明細書において例示され、説明されたが、同じ目的を達成するように算出された任意の配置が、示された特定実施形態の代替にされてもよいことが十分理解されるべきである。本開示は、様々な実施形態についての任意の及びすべての適応又は変形をカバーすることが意図される。上記実施形態の組み合わせ、及び本明細書において具体的に説明されていない他の実施形態が、上記説明を精査した当業者に明らかになるであろう。
【００５２】
本文献において、用語「一の（“a”又は“an”）」は、特許文献において一般的であるとおり、「少なくとも１つ」又は「１つ以上」についての任意の他の事例又は使用法から独立して、１つ又は１つより多くを含むように用いられる。本文献において、用語「又は」は、非排他的な又はを参照するように用いられ、したがって、「Ａ又はＢ」には、別段示されない限り、「ＢでなくＡ」、「ＡでなくＢ」、及び「Ａ及びＢ」が含まれる。本文献において、用語「含む（“including”）」及び「これにおいて（“in  which”）」は、それぞれの用語「含む（“comprising”）」及び「これにおいて（“wherein”）」についての分かりやすい英語の均等物として用いられる。さらに、下記の請求項において、用語「含む（“including”）」及び「含む（“comprising”）」は開放型であり、すなわち、請求項内でこうした用語の後に列挙される要素に対して追加で要素を含むシステム、ＵＥ、品物、組成物、定式化、又は処理は依然として、該請求項の範囲内に入るようにみなされる。さらに、下記の請求項において、用語「第１の」、「第２の」、及び「第３の」等は単にラベルとして用いられ、その対象に対する数的要件を課すことは意図されない。
【００５３】
本開示の要約は、読み手が技術開示の性質を迅速に確かめることを可能にする要約を要求する３７Ｃ．Ｆ．Ｒ．§１．７２（ｂ）に準拠するように提供される。要約は、該要約が請求項の範囲又は意味を解釈又は限定することに使用されないという理解と共に提出されている。さらに、前述の詳細な説明において、様々な特徴が、開示を合理化する目的で単一の実施形態に一緒にグループ化されていることがわかるであろう。この開示の方法は、請求される実施形態が各請求項において明示的に記載されているよりも多くの特徴を必要とするとの意図を反映するものとして解釈されるべきではない。むしろ、下記の請求項が反映するとおり、発明対象事項は、１つの開示される実施形態についてのすべての特徴よりも少ない中にある。ゆえに、下記の請求項は本詳細な説明に組み込まれ、各請求項はそれ自体を別個の実施形態として主張する。
【図１】
0006400732.tif 000002
【図２】
0006400732.tif 000003
【図３】
0006400732.tif 000004
【図４】
0006400732.tif 000005